(57)【要約】      （修正有）【課題】簡易な手段により押し抜いた形態を複数得ることができるシート状部材用抜き型を提供する。【解決手段】シート状部材用抜き型Ｎは、本体１と、この本体１に設けられたシート状部材１０を押し抜く複数の抜き型部１１、１２と、本体１に設けられた折曲自在なヒンジ部２とを備え、複数の抜き型部１１、１２の内、ヒンジ部２を折り曲げて抜きたい抜き型部１１、１２を選択して使用することができるものである。【選択図】図１
0003219409.tif 000002
【実用新案登録請求の範囲】
【請求項１】
シート状部材を押し抜くシート状部材用抜き型であって、
本体と、
この本体に設けられた前記シート状部材を押し抜く複数の抜き型部と、
前記本体に設けられた折曲自在なヒンジ部とを備え、
前記複数の抜き型部の内、前記ヒンジ部を折り曲げて抜きたい前記抜き型部を選択して使用することができる
ことを特徴とするシート状部材用抜き型。
【請求項２】
ヒンジ部は、隣接する抜き型部の間であって、本体を横断するように設けられている
ことを特徴とする請求項１記載のシート状部材用抜き型。
【請求項３】
複数の抜き型部は、本体の外側にそれぞれヒンジ部を介して配置されている
ことを特徴とする請求項１記載のシート状部材用抜き型。
【請求項４】
複数の抜き型部は、それぞれ異なる形の抜き型部である
ことを特徴とする請求項１〜３のいずれかに記載のシート状部材用抜き型。
【請求項５】
シート状部材は、チーズ、ハム、クッキー生地、人参等の食材又は粘土である
ことを特徴とする請求項１記載のシート状部材用抜き型。
【考案の詳細な説明】
【技術分野】
【０００１】
本考案は、シート状部材用抜き型に係り、特に、簡易な手段により押し抜いた形態を複数得ることができるシート状部材用抜き型に関する。
【背景技術】
【０００２】
従来、シート状食材を押し抜くための食材用絵文字抜き型がある（特許文献１参照）。
この食材用絵文字抜き型にあっては、絵文字からなる抜き型が個々にばらばらに存在している。
【先行技術文献】
【特許文献】
【０００３】
【特許文献１】実用新案登録第３１４０９６５号公報
【考案の概要】
【考案が解決しようとする課題】
【０００４】
そのため、抜き型をなくし易いと共に、１個の抜き型は、抜き形状が一形態に限定され、多用性に欠けるという問題点が生じた。
【０００５】
本考案は、上記の問題点を考慮してなされたシート状部材用抜き型を提供することにある。
【課題を解決するための手段】
【０００６】
請求項１記載のシート状部材用抜き型は、シート状部材を押し抜くシート状部材用抜き型であって、本体と、この本体に設けられた前記シート状部材を押し抜く複数の抜き型部と、前記本体に設けられた折曲自在なヒンジ部とを備え、前記複数の抜き型部の内、前記ヒンジ部を折り曲げて抜きたい前記抜き型部を選択して使用することができるものである。
【０００７】
また、請求項２記載のシート状部材用抜き型は、請求項１記載のシート状部材用抜き型において、ヒンジ部は、隣接する抜き型部の間であって、本体を横断するように設けられているものである。
【０００８】
また、請求項３記載のシート状部材用抜き型は、請求項１記載のシート状部材用抜き型において、複数の抜き型部は、本体の外側にそれぞれヒンジ部を介して配置されているものである。
【０００９】
また、請求項４記載のシート状部材用抜き型は、請求項１〜３のいずれかに記載のシート状部材用抜き型において、複数の抜き型部は、それぞれ異なる形の抜き型部である。
【００１０】
また、請求項５記載のシート状部材用抜き型は、請求項１記載のシート状部材用抜き型において、シート状部材は、チーズ、ハム、クッキー生地、人参等の食材又は粘土である。
【考案の効果】
【００１１】
請求項１記載のシート状部材用抜き型によれば、１個のシート状部材用抜き型により、複数の抜き型部が、例えば、二つ有った場合、少なくとも、ヒンジ部を使用しないで複数の抜き型部による押し抜いた一の形態、ヒンジ部を使用して二つの内の一方の抜き型部を用いた抜き型部による押し抜いた二の形態を得ることができる。
【００１２】
また、請求項２記載のシート状部材用抜き型によれば、上述した請求項１記載の考案の効果に加え、ヒンジ部は、隣接する抜き型部の間であって、本体を横断するように設けられているため、抜き型部をヒンジ部に制約を受けずに本体に大きく設けることができる。
【００１３】
また、請求項３記載のシート状部材用抜き型によれば、上述した請求項１記載の考案の効果に加え、複数の抜き型部は、本体の外側にそれぞれヒンジ部を介して配置されているため、複数の抜き型部を本体の外側に多く形成し、抜き形状を多く形成することができる。
【００１４】
また、請求項４記載のシート状部材用抜き型によれば、上述した請求項１〜３のいずれかに記載の考案の効果に加え、複数の抜き型部は、それぞれ異なる形の抜き型部であるため、異なる分、押し抜いた形態を多く得ることができる。
【００１５】
また、請求項５記載のシート状部材用抜き型によれば、上述した請求項１記載の考案の効果に加え、シート状部材は、チーズ、ハム、クッキー生地、人参等の食材以外に粘土においても使用することができる。
【図面の簡単な説明】
【００１６】
【図１】図１（ａ）は、本考案の一実施例のシート状部材用抜き型の概略的正面図で、図１（ｂ）は、図１（ａ）のシート状部材用抜き型で押し抜かれたシート状部材（例えば、ハム）の概略的正面図である。
【図２】図２は、図１（ａ）のシート状部材用抜き型のヒンジ部を使った使用例を示す概略的斜視図である。
【図３】図３は、図１（ａ）のシート状部材用抜き型の概略的斜視図である。
【図４】図４は、図３の概略的右側面図である。
【図５】図５（ａ）は、図１（ａ）のシート状部材用抜き型と異なる他の実施例のシート状部材用抜き型の概略的正面図で、図５（ｂ）は、図５（ａ）のシート状部材用抜き型と異なる他の実施例のシート状部材用抜き型の概略的正面図である。
【図６】図６（ａ）は、図５（ｂ）のシート状部材用抜き型と異なる他の実施例のシート状部材用抜き型の概略的正面図で、図６（ｂ）は、図６（ａ）のシート状部材用抜き型で押し抜かれたシート状部材（例えば、チーズ）の概略的正面図である。
【図７】図７は、図６（ａ）のシート状部材用抜き型の概略的斜視図である。
【図８】図８は、図７の概略的右側面図である。
【図９】図９は、図６（ａ）のシート状部材用抜き型と異なる他の実施例のシート状部材用抜き型の概略的正面図である。
【図１０】図１０は、図９のシート状部材（例えば、ハム）用抜き型のヒンジ部を使った使用例を示す概略的斜視図である。
【考案を実施するための形態】
【００１７】
本考案の一実施例のシート状部材用抜き型を図１乃至図４を参照して説明する。
【００１８】
図１（ａ）に示すＮは、シート状部材１０を押し抜くシート状部材用抜き型である。シート状部材用抜き型Ｎは、本体１と、この本体１に設けられたシート状部材１０を押し抜く複数の抜き型部１１、１２と、本体１に設けられた折曲自在なヒンジ部２とを備えている。
複数の抜き型部は、それぞれ同じ形の抜き型部でも良いが、複数の抜き型部１１、１２は、図１（ａ）に示すように、それぞれ異なる形の抜き型部であるほうが望ましい。
シート状部材１０は、本実施例では、ハムであるが、ハム以外にチーズ、クッキー生地、人参等の食材の他、粘土等にも適用することができる。
【００１９】
抜き型部１１は、例えば、図１（ａ）に示すように、略半円形状部１１１と、この略半円形状部１１１の内方に位置したクマの顔形状部１１２と、空所１１３、１１４とを有している。
抜き型部１２は、例えば、図１（ａ）に示すように、略半円の円弧の外周に波を有した形状部１２１と、この形状部１２１の内方に円弧状に配置された孔部１２２、空所１２３とを有している。
ヒンジ部２は、隣接する抜き型部１１、１２の間であって、本体１を横断するように設けられている。そのため、抜き型部１１、１２をヒンジ部２に制約を受けずに本体１に大きく設けることができる。
【００２０】
本実施例の抜き型部１１、１２（抜き型部が二つ）のヒンジ部２は、本体１を横断するように設けられているが、本願考案にあっては、これに限らず、例えば、円形の本体１に中心角が９０度の扇形状部にそれぞれ図示しない抜き型部を４つ設け、ヒンジ部２を本体の中心から９０度方向に屈曲するように設けても良い［図５（ａ）参照］し、また、本実施例の抜き型部１１、１２（抜き型部が二つ）を有する本体１は、円形であるが、本願考案にあっては、これに限らず、例えば、図５（ｂ）に示すように、四角形状でも良い。
なお、図５記載の本実施例においては、図１乃至図４記載と同一部分に同一符号を付して、その説明の一部を省略する。
【００２１】
従って、上述したシート状部材用抜き型Ｎによれば、１個のシート状部材用抜き型Ｎにより、複数の抜き型部が、例えば、二つ有った場合、少なくとも、ヒンジ部２を使用しないで複数の抜き型部１１、１２による押し抜いた一の形態［１０’と１０" 図１（ｂ）参照］、ヒンジ部２を使用して二つの内の一方の抜き型部１１（又は、抜き型部１２）を用いた抜き型部１１（又は、抜き型部１２）による押し抜いた二の形態［図１（ｂ）の１０’（又は、１０”）］を得ることができる。
【００２２】
抜き型部１１、１２は、図１乃至図４に限らず、本願考案にあっては、これに限らず、例えば、図６乃至図８記載のものでも良い。
即ち、シート状部材１０は、例えば、チーズであり、抜き型部１１は、例えば、中途に猫の頭部を有した略長方形状部１１１’と、この略長方形状部１１１’の内方に位置した猫の顔形状部１１２’と、空所１１３’、１１４’とを有している。
抜き型部１２は、例えば、外周に略半円の円弧を形状部１２１’と、この形状部１２１’の内方に直線状に上下二列配置した略楕円孔群部１２２’、空所１２３’とを有している。
ヒンジ部２は、隣接する抜き型部１１、１２の間であって、本体１を横断するように設けられている。
【００２３】
この図６乃至図８記載の実施例のシート状部材用抜き型Ｎも、図１乃至図４記載のシート状部材用抜き型Ｎと同様、１個のシート状部材用抜き型Ｎにより、複数の抜き型部が、例えば、二つ有った場合、少なくとも、ヒンジ部２を使用しないで複数の抜き型部１１、１２による押し抜いた一の形態［１０”’と１０””  図６（ｂ）参照］、ヒンジ部２を使用して二つの内の一方の抜き型部１１（又は、抜き型部１２）を用いた抜き型部１１（又は、抜き型部１２）による押し抜いた二の形態［図６（ｂ）の１０”’（又は、１０””）］を得ることができる。
なお、図６乃至図８記載の本実施例においては、図１乃至図４記載と同一部分に同一符号を付して、その説明の一部を省略する。
【００２４】
上述の図１乃至図８記載の実施例においては、抜き型部１１、１２（抜き型部が二つ）を本体１の全体に亘って設けたが、本願考案にあっては、これに限らず、例えば、複数の抜き型部１３、１４、１５、１６、１７、１８、１９を、本体１の外側にそれぞれヒンジ部２１、２２、２３、２４、２５、２６、２７を介して配置するようにしても良い。
【００２５】
この図９及び図１０記載の実施例のシート状部材用抜き型Ｎも、図１乃至図４、図６乃至図８記載のシート状部材用抜き型Ｎと同様、１個のシート状部材用抜き型Ｎにより、複数の抜き型部が、例えば、二つ有った場合、少なくとも、ヒンジ部２１、２２、２３、２４、２５、２６、２７を使用しないで複数の抜き型部１３、１４、１５、１６、１７、１８、１９による押し抜いた一の形態［Ａの文字、Ｂの文字、Ｃの文字、Ｄの文字、Ｅの文字、Ｆの文字、Ｇの文字］、ヒンジ部２１を使用して複数の内の一方の抜き型部１３を用いた抜き型部１３による押し抜いた二の形態［Ａの文字のみ］を得ることができる。
【００２６】
なお、図９及び図１０記載のシート状部材用抜き型Ｎにあっては、複数の抜き型部１３、１４、１５、１６、１７、１８、１９は、本体１の外側にそれぞれヒンジ部２１、２２、２３、２４、２５、２６、２７を介して配置されているため、複数の抜き型部１３、１４、１５、１６、１７、１８、１９を本体１の外側に多く形成し、抜き形状［Ａの文字、Ｂの文字、Ｃの文字、Ｄの文字、Ｅの文字、Ｆの文字、Ｇの文字］を多く形成することができる。
【符号の説明】
【００２７】
Ｎ      シート状部材用抜き型
１      本体
２      ヒンジ部
１０    シート状部材
１１     抜き型部
１２    抜き型部
【図１】
0003219409.tif 000003
【図２】
0003219409.tif 000004
【図３】
0003219409.tif 000005
【図４】
0003219409.tif 000006
【図５】
0003219409.tif 000007
【図６】
0003219409.tif 000008
【図７】
0003219409.tif 000009
【図８】
0003219409.tif 000010
【図９】
0003219409.tif 000011
【図１０】
0003219409.tif 000012